(57)【要約】      （修正有）【課題】着脱が容易且つ固定を更に緊密なものとすべく、調整が可能なコネクタの固定装置を提供する。【解決手段】コネクタ本体１０と、一つ以上の連動構造２０及び一つ以上の固定装置３０を設け、コネクタ本体１０には連動構造２０の一端と連結されるべくジョイント部１６を設け、連動構造２０には連動部２１及び連動部２１と連結される調整部２２を設け、連動部２１は固定装置３０と枢設により連結し、固定装置３０には開閉部３１とフック掛合部３２を設け、こうすることで連動構造２０が該コネクタ本体１０のジョイント部１６内にて移動できるようにし、固定装置３０の位置調整を実現し、コネクタ本体１０とドックコネクタとの連結における緊密度を高める。【選択図】図３
0003109808.tif 000002
【実用新案登録請求の範囲】
【請求項１】
コネクタ本体と、連動構造と、固定装置とより構成される調整が可能なコネクタの固定装置において、
ジョイント部を具有する前記コネクタ本体と、
該コネクタ本体のジョイント部に連結されるものであり、連動部及び該連動部と連結する調整部を含む該連動構造と、
前記連動構造の連動部に枢設されるものであり、開閉部とフック掛合部を具有し、且つ該開閉部と該フック掛合部とは相互に連結されている該固定装置と、
を含むことを特徴とする調整が可能なコネクタの固定装置。
【請求項２】
前記コネクタ本体はコンピュータ等におけるシグナル伝送用コネクタとし、連結部を具有することを特徴とする請求項１記載の調整が可能コネクタのな固定装置。
【請求項３】
前記コネクタ本体のジョイント部は二つの凸型耳、並びに該二つの凸型耳の間に設けられた窪んだエリアを具有し、該凸型耳上にはそれぞれ相対する孔が設けられ、前記連動構造の連動部には貫通孔が設けられ、該貫通孔と該孔とがボルト等の調整部を穿設する個所を提供することで、該連動部を該ジョイント部の窪んだエリア中に固定することを特徴とする請求項２記載の調整が可能なコネクタの固定装置。
【請求項４】
前記コネクタ本体のジョイント部はガイドホール及びガイドレールによって構成され、前記連動部にはパイロット溝が設けられており、且つ該パイロット溝は該ジョイント部のガイドレールに対応したものであることから、該連動部の一端は該ジョイント部のガイドホール内に収容されることを特徴とする請求項２記載の調整が可能なコネクタの固定装置。
【請求項５】
前記コネクタ本体には該ガイドホールと相通する縦向孔が設けられ、該縦向孔の最上部周縁には多数の鋸型を呈した溝が設けられ、前記連動部の片側には二つの凸型ブロックが設けられ、該二つの凸型ブロック間には凹型溝が設けられ、また該凹型溝は該コネクタ本体の縦向孔に位置が対応していることから、前記調整部が穿設されて相互に連結されることを特徴とする請求項４記載の調整が可能なコネクタの装置。
【請求項６】
前記調整部は偏心軸であり、該偏心軸の最上部には突起が設けられ、該突起は該縦向孔の鋸型溝内に収容され、該調整部の回転及び定位により、前記連動部の前後移動位置が制御されることを特徴とする請求項５記載の調整が可能なコネクタの固定装置。
【請求項７】
前記連動構造の連動部一端は外向きに延伸するフックが設けられ、該フックは該固定装置の該開閉部末端を圧制することを特徴とする請求項２記載の調整が可能な固定装置。
【請求項８】
前記連動構造の連動部には孔が設けられ、前記固定装置の開閉部には第一穿孔及び第二穿孔が設けられており、更に該穿孔と該孔とは対応した位置に設けられることから枢軸が穿設されて連結され、該連動部と該固定装置とを連結することを特徴とする請求項２記載の調整が可能なコネクタの固定装置。
【請求項９】
前記固定装置の開閉部はワイヤを湾曲させて成るものとし、開口端を具有し、該開口端にはそれぞれ二つの円軸が設けられ、該円軸は該開閉部の第二穿孔と枢設されて連結されることを特徴とする請求項８記載の調整が可能なコネクタの固定装置。
【請求項１０】
前記固定装置における開閉部は略方形、或いは半円形、或いは三角形、或いは梯子型、を呈することを特徴とする請求項９記載の調整が可能なコネクタの固定装置。
【考案の詳細な説明】
【技術分野】
【０００１】
本考案は、コネクタでの調整が可能な固定装置に係り、特にシグナル伝送用コネクタに応用され、固定装置の位置を調整する機能を具有し、コネクタ本体とドックコネクタの連結における緊密度が高められるコネクタの固定装置に関わる。
【背景技術】
【０００２】
コンピュータ産業の発展に伴い、コネクタは電源やシグナル伝送の技術において必要不可欠となっており、こういったコネクタはコンピュータ、及びプリンタを始めとする周辺設備において長時間に渡って使用されることから振動及び着脱の動作に繰り返し耐え得るものでなければならない。よって容易に着脱ができ、接触不良を引き起こさないように緊密に固定装置が開発されている。
図１に示すように、公知におけるコネクタの固定装置の例としては、コネクタ１０a及びドックコネクタ２０aを含むものが代表されるが、該コネクタ１０aの両側には凸型耳１１aが延伸し、該凸型耳１１aの中心には孔１２aが設けられる。更に該コネクタ２０aの両側にはそれぞれボルトホール２１aが設けられ、該ボルトホール２１aは該コネクタ１０aの孔１２aの位置に対応した個所に設けられ、ボルト２２aを穿設することにより、該コネクタ１０aが該ドックコネクタ２０aと緊密に固定されるようになっている。
【特許文献１】特開２００１−２８３９９１号
【考案の開示】
【考案が解決しようとする課題】
【０００３】
しかし上述のような従来公知におけるコネクタの固定装置では、ボルトによる固定であることから、しばしば着脱を行う必要がある場合には非常に不便であること、更に何らかの湿気及び水気防止対策装置が設けられていないことから、湿気等を受けることで使用の寿命を縮める結果を招いていると言える。
本考案は、コネクタにおいて、着脱が容易且つ固定を更に緊密なものとすべく調整が可能な固定装置を提供する。
【課題を解決するための手段】
【０００４】
本考案は、前記課題を解決すべく、コネクタ本体と、一つ以上の連動構造及び一つ以上の固定装置を設け、該コネクタ本体には該連動構造の一端と連結されるべくジョイント部を設け、該連動構造には連動部及び該連動部と連結される調整部を設け、該連動部は該固定装置と枢設により連結し、該固定装置には開閉部とフック掛合部を設け、こうすることで該連動構造が該コネクタ本体のジョイント部内にて移動できるようにし、該固定装置の位置調整を実現し、該コネクタ本体とドックコネクタとの連結における緊密度を高めるものである。
【０００５】
すなわち、請求項１の考案は、コネクタ本体と、連動構造と、固定装置とより構成される調整が可能なコネクタの固定装置において、ジョイント部を具有する前記コネクタ本体と、
該コネクタ本体のジョイント部に連結されるものであり、連動部及び該連動部と連結する調整部を含む該連動構造と、前記連動構造の連動部に枢設されるものであり、開閉部とフック掛合部を具有し、且つ該開閉部と該フック掛合部とは相互に連結されている該固定装置と、を含むことを特徴とする調整が可能なコネクタの固定装置である。
【０００６】
請求項２の考案は、前記コネクタ本体はコンピュータ等におけるシグナル伝送用コネクタとし、連結部を具有することを特徴とする請求項１記載の調整が可能なコネクタの固定装置である。
請求項３の考案は、前記コネクタ本体のジョイント部は二つの凸型耳、並びに該二つの凸型耳の間に設けられた窪んだエリアを具有し、該凸型耳上にはそれぞれ相対する孔が設けられ、前記連動構造の連動部には貫通孔が設けられ、該貫通孔と該孔とがボルト等の調整部を穿設する個所を提供することで、該連動部を該ジョイント部の窪んだエリア中に固定することを特徴とする請求項２記載の調整が可能なコネクタの固定装置である。
請求項４の考案は、前記コネクタ本体のジョイント部はガイドホール及びガイドレールによって構成され、前記連動部にはパイロット溝が設けられており、且つ該パイロット溝は該ジョイント部のガイドレールに対応したものであることから、該連動部の一端は該ジョイント部のガイドホール内に収容されることを特徴とする請求項２記載の調整が可能なコネクタの固定装置である。
請求項５の考案は、前記コネクタ本体には該ガイドホールと相通する縦向孔が設けられ、該縦向孔の最上部周縁には多数の鋸型を呈した溝が設けられ、前記連動部の片側には二つの凸型ブロックが設けられ、該二つの凸型ブロック間には凹型溝が設けられ、また該凹型溝は該コネクタ本体の縦向孔に位置が対応していることから、前記調整部が穿設されて相互に連結されることを特徴とする請求項４記載の調整が可能なコネクタの固定装置である。
請求項６の考案は、前記調整部は偏心軸であり、該偏心軸の最上部には突起が設けられ、該突起は該縦向孔の鋸型溝内に収容され、該調整部の回転及び定位により、前記連動部の前後移動位置が制御されることを特徴とする請求項５記載の調整が可能なコネクタの固定装置である。
【０００７】
請求項７の考案は、前記連動構造の連動部一端は外向きに延伸するフックが設けられ、該フックは該固定装置の該開閉部末端を圧制することを特徴とする請求項２記載の調整が可能なコネクタの固定装置である。
請求項８の考案は、前記連動構造の連動部には孔が設けられ、前記固定装置の開閉部には第一穿孔及び第二穿孔が設けられており、更に該穿孔と該孔とは対応した位置に設けられることから枢軸が穿設されて連結され、該連動部と該固定装置とを連結することを特徴とする請求項２記載の調整が可能なコネクタの固定装置である。
請求項９の考案は、前記固定装置の開閉部はワイヤを湾曲させて成るものとし、開口端を具有し、該開口端にはそれぞれ二つの円軸が設けられ、該円軸は該開閉部の第二穿孔と枢設されて連結されることを特徴とする請求項８記載の調整が可能なコネクタの固定装置である。
請求項１０の考案は、前記固定装置における開閉部は略方形、或いは半円形、或いは三角形、或いは梯子型、を呈することを特徴とする請求項９記載の調整が可能なコネクタの固定装置である。
【考案の効果】
【０００８】
本考案によると、コネクタにおいて、着脱が容易且つ緊密な固定効果が得られると同時に、使用における寿命を効果的に延ばすべく、湿気や水気の進入を防止するという効果が得られる。
【考案を実施するための最良の形態】
【０００９】
本考案の好適な実施例を図面に沿って説明する。
本考案はシグナルの伝送を行うコネクタや旅行鞄に取り付けられるロックの構造に用いられるものであるが、本考案の第一実施例では図２，３に示すように、コネクタにおいて実施しており、該コネクタには主にコネクタ本体１０と一つ以上設けられる連動構造２０、同様に一つ以上設けられる固定装置３０より構成する。
【００１０】
前記コネクタ本体１０は電源線プラグ、IEEE１３９４、RJ−４５、D−SUB、RCA JACK、Phone JACK、S terminal等において応用されるものであり、本実施例ではＤ−SUBのコネクタを例としており、形状は略方形を呈しているものとし、また連結部１１及び導線部１２を具有し、該連結部１１は該コネクタ本体１０の前方より延伸するものであり、その内部には多数の接触端子を具有Ｓ、該接触端子の外縁個所には環状の凹型溝１１１（図６参照）が設けられ、該凹型溝１１１で防水パッキン１３を嵌合する個所を提供する。該連結部１０の左右両側にはそれぞれ二つの半円状の凸型耳１４が設けられ、該凸型耳１４上には孔１５が設けられ、且つ同じ側に位置する二つの該凸型耳１４の間には窪んだエリアが設けられ、該窪んだエリアと二つの凸型耳１４とで本実施例のコネクタ本体１０におけるジョイント部１６を形成する。
【００１１】
前記連動構造２０においては、一組或いは二組の形態で該コネクタ本体１０に連結されるものとし、本実施例では二組の形態を採っている。前記連結構造２０には連動部２１及び調整部２２を具有し、該連動部２１の一端は該コネクタ本体１０のジョイント部１６上に連結され、且つ横向きに貫通する貫通孔２１１及び該貫通孔２１１と相通する角型孔２１２を具有し、該角型孔２１２はナット等の固定部品を設置する個所を提供する。
また、前記貫通孔２１１は前記調整部２２を穿入させて連結するものであり、本実施例の該調整部２２であるボルトは、前記コネクタ本体１０の孔１５と前記連動部２１の貫通孔２１１、並びにナットと該コネクタ本体１０のもう一つの孔１５に穿入し、該連動部２１を該ジョイント部２１の窪んだエリア内に連結させる。該連動部２１上には縦向孔２１３が開設されている他、該連動部２１の末端には外側に延伸するフック２１４が設けられているものとする。
【００１２】
前記固定装置３０は一組或いは二組の形態で前記連動部２１に枢設されるものとし、一組である場合にはそのもう一端は固定されたタイプの連結装置（図中なし）とする。本実施例では二組の固定装置を採用しており、これには開閉部３１とフック掛合部３２をふくみ、該開閉部３１は金属材質による板が直接略コの字型に湾曲されて成るものであり、適当な位置には第一穿孔３１１及び第二穿孔３１２が設けられている。該第一穿孔３１１とは該連動部２１の孔２１３に対応した個所に設置され、枢軸３３を穿設する個所を提供し、該連動部２１と該開閉部３１を枢設することで一体にしており、該第二穿孔３１２は該フック掛合部３２が枢設されて一体となる。該フック掛合部３２は金属のワイヤを湾曲させてなるものであるが、開口端３２１及び閉鎖部３２２を具有する方形を呈したフレーム体であり、同様にして半円形や三角形、或いは梯子型やその他の形状でもよく上述の方形に限られるものではない。また該フック掛合部３２の開口端３２１上下には、延伸する円軸３２３を具有するが、該円軸３２３は該開閉部３１の第二穿孔３１２に穿設されるものとする。
【００１３】
図４，５，６に示すように本考案の実施例１では、該コネクタ本体１０はドックコネクタ４０に挿入されることで連結するが、該ドックコネクタ４０の中央には該本体１０の連結部１１に対応するスロット４１が設けられているものとする。該スロット４１の左右両側にはフック４２が設けられ、該フック４２は該フック掛合部３２の閉鎖端３２２に掛けられて連結する。使用時には該コネクタ１０の連結部１１を該ドックコネクタ４０のスロット４１中に入れ、該固定装置３０両側の開閉部３１を開け、該フック掛合部３２を前方に移動させ、該フック掛合部３２の閉鎖端３２２に該ドックコネクタ４０のフック４２を掛ける。更に該枢軸３３を回転の中心として該開閉部３１を後方に回転させ掛け合わせ、該連動部２１のフック２１４で該開閉部３１の末端外縁個所を圧制する。こうすることで該コネクタ本体１０と該ドックコネクタ４０とが緊密に固定される目的を達成する。
【００１４】
図７，８に示すように、本考案の実施例２では、コネクタ本体１０’のジョイント部１６’が方形を呈したガイドホール１６１及びガイドレール１６２より構成され、また該連動部２１’上には二つのパイロット溝２１５を具有し、これらパイロット溝２１５とガイドホール１６１のガイドレール１６２等により、該連動部２１’の一端が該ジョイント部１６’のガイドホール１６１内に収容されるようになっている。
【００１５】
図９，１０に示すように、本考案の実施例３ではコネクタ本体１０”のジョイント部１６”は方形を呈したガイドホール１６１、及び該ガイドホール１６１外側のガイドレール１６２、該ガイドホール１６１に相通する縦向孔１７、とより構成され、該縦向孔１７の最上部周縁には多数の鋸型溝１７１が設けられており、該連動部２１”片側からは二つの凸型ブロック２１６が延伸し、二つの凸型ブロック間には凹型溝２１７が形成され、該凹型溝２１７は該コネクタ本体１０”の縦向孔１７に対応した個所に設置されているものとし、該調整部２２”が穿設され連結されるようにしている。本実施例では該調整部２２”は偏心軸とし、該調整部２２”の最上部周縁には突起２２１が設けられ、該突起２２１は該縦向孔１７の鋸型溝１７１内に収容されるべく設置され、該調整部２２”の回転と定位により該連動部２１”の前後移動位置を制御する。
【００１６】
したがって、上述した各実施例のコネクタの固定装置において、着脱が容易且つ緊密な固定効果が得られ、同時に、使用における寿命を効果的に延ばすべく、湿気や水気の進入を防止する。
【図面の簡単な説明】
【００１７】
【図１】公知におけるコネクタの固定装置を示す図である。
【図２】本考案における実施例１の立体分解図である。
【図３】本考案における実施例１の組み立て後の図である。
【図４】本考案における実施例１をドックコネクタと併せて使用した様子を示す図である。
【図５】本考案における実施例１をドックコネクタと併せて組み立てた様子を示す図である。
【図６】図５の断面図である。
【図７】本考案における実施例２の立体分解図である。
【図８】本考案の実施例２をドックコネクタと併せて使用した様子を示す図である。
【図９】本考案の実施例３における立体分解図である。
【図１０】本考案の実施例３をドックコネクタと併せて使用した様子を示す図である。
【符号の説明】
【００１８】
１０ａ  コネクタ
１１ａ  凸型耳
１２ａ  孔
２０ａ  ドックコネクタ
２１ａ  ボルトホール
２２ａ  ボルト
１０，１０’、１０”  コネクタ本体
１１  連結部
１１１  凹型溝
１２  導線部
１３  防水パッキン
１４  凸型耳
１５  孔
１６，１６’、１６”  ジョイント部
１６１  ガイドホール
１６２  ガイドレール
１７  縦向孔
１７１  鋸型溝
２０  連動構造
２１，２１’、２１”  連動部
２１１  貫通孔
２１２  角型孔
２１３  孔
２１４  フック
２１５  パイロット溝
２１６  凸型ブロック
２１７  凹型溝
２２，２２”  調整部
２２１  突起
３０  固定装置
３１  開閉部
３１１  第一穿孔
３１２  第二穿孔
３２  フック掛合部
３２１  開口端
３２２  閉鎖端
３２３  円軸
３３  枢軸
４０  ドックコネクタ
４１  スロット
４２  フック
【図１】
0003109808.tif 000003
【図２】
0003109808.tif 000004
【図３】
0003109808.tif 000005
【図４】
0003109808.tif 000006
【図５】
0003109808.tif 000007
【図６】
0003109808.tif 000008
【図７】
0003109808.tif 000009
【図８】
0003109808.tif 000010
【図９】
0003109808.tif 000011
【図１０】
0003109808.tif 000012